(57)【要約】ある態様によれば、送信電力制御が、干渉管理スキームの一部として、サブフレーム依存方式でアップリンク送信に適用されうる。
2013524572.tif 000002
【特許請求の範囲】
【請求項１】
無線通信ネットワークにおいて干渉を緩和するための方法であって、
電力制御情報を取得することと、
前記電力制御情報に基づいて、異なるタイプのサブフレーム中に送られる送信の送信電力を調節することと、ここで、サブフレームのタイプは、第１のセルにおける送信が、第２のセルにおける送信を制限することによって保護される、少なくとも第１のタイプを備える、
を備える方法。
【請求項２】
前記無線通信ネットワークは、ヘテロジニアスなネットワークを備え、
前記第１のセルと前記第２のセルとは、異なる電力クラスのタイプからなる、
請求項１に記載の方法。
【請求項３】
前記送信電力を調節することは、前記第１のタイプのサブフレームで送られる送信のために、第２のタイプのサブフレームで使用される第２の送信電力レベルよりも低い、第１の送信電力レベルを利用することを備える、請求項１に記載の方法。
【請求項４】
前記電力制御情報は、
前記第１のタイプのサブフレームで送られる送信のための、第１の送信電力レベルを示すインジケーションと、
前記第１の送信電力レベルに基づいて、前記第２の送信電力レベルを決定するために使用可能なオフセットを示すインジケーションと
を備える、請求項３に記載の方法。
【請求項５】
前記電力制御情報は、１または複数の送信電力制御（ＴＰＣ）コマンドで受信される情報を備える、請求項１に記載の方法。
【請求項６】
前記電力制御情報は、
前記第１のタイプのサブフレームで送られる送信のための、第１の送信電力レベルを調節するための情報と、
前記第２のタイプのサブフレームで送られる送信のための、第２の送信電力レベルを調節するための情報と
を備える、請求項１に記載の方法。
【請求項７】
前記第１の送信電力レベルを調節するための情報は、少なくとも第１の電力制御ループに基づいて導出される、請求項６に記載の方法。
【請求項８】
前記第１の電力制御ループは、ノイズ・パディング・スキームに部分的に基づいて導出される、請求項７に記載の方法。
【請求項９】
前記第２の送信電力レベルを調節するための情報は、少なくとも第２の電力制御ループに基づいて導出される、請求項７に記載の方法。
【請求項１０】
前記第１の電力制御ループは、第１のノイズ・パディング・スキームに部分的に基づいて導出され、
前記第２の電力制御ループは、第２のノイズ・パディング・スキームに部分的に基づいて導出される、
請求項９に記載の方法。
【請求項１１】
前記第１のノイズ・パディング・スキームは、ゼロ・ノイズ・パディングを利用する、請求項１０に記載の方法。
【請求項１２】
前記第２の送信電力レベルを調節するための情報は、前記第１の送信電力レベルを調節するための情報を適用したオープン・ループ・オフセットに基づいて導出される、請求項６に記載の方法。
【請求項１３】
無線通信ネットワークにおいて干渉を緩和するための方法であって、
電力制御情報を決定することと、
前記電力制御情報に基づいて、異なるタイプのサブフレーム中に送られる送信の送信電力を調節する際に使用するために、前記電力制御情報をユーザ機器（ＵＥ）に送信することと、ここで、サブフレームのタイプは、第１のセルにおける送信が、第２のセルにおける送信を制限することによって保護される、少なくとも第１のタイプを備える、
を備える方法。
【請求項１４】
前記無線通信ネットワークは、ヘテロジニアスなネットワークを備え、
前記第１のセルと前記第２のセルとは、異なる電力クラスのタイプからなる、
請求項１３に記載の方法。
【請求項１５】
前記ＵＥは、前記第１のタイプのサブフレームで送られる送信のために、第２のタイプのサブフレームで使用される第２の送信電力レベルよりも低い、第１の送信電力レベルを利用することによって前記送信電力を調節する、請求項１３に記載の方法。
【請求項１６】
前記ＵＥへ送信される電力制御情報は、
前記第１のタイプのサブフレームで送られる送信のための、第１の送信電力レベルを示すインジケーションと、
前記第１の送信電力レベルに基づいて、前記第２の送信電力レベルを決定するために使用可能なオフセットを示すインジケーションと
を備える、請求項１５に記載の方法。
【請求項１７】
前記電力制御情報は、１または複数の送信電力制御（ＴＰＣ）コマンドで受信される情報を備える、請求項１３に記載の方法。
【請求項１８】
前記ＵＥへ送信される電力制御情報は、
前記第１のタイプのサブフレームで送られる送信のための、第１の送信電力レベルを調節するための情報と、
前記第２のタイプのサブフレームで送られる送信のための、第２の送信電力レベルを調節するための情報と
を備える、請求項１３に記載の方法。
【請求項１９】
前記第１の送信電力レベルを調節するための情報は、少なくとも第１の電力制御ループに基づいて導出される、請求項１８に記載の方法。
【請求項２０】
前記第１の電力制御ループのために、ノイズ・パディング・スキームが適用される、請求項１９に記載の方法。
【請求項２１】
前記第２の送信電力レベルを調節するための情報は、少なくとも第２の電力制御ループに基づいて導出される、請求項１９に記載の方法。
【請求項２２】
前記第１の電力制御ループのために、第１のノイズ・パディング・スキームが適用され、前記第２の電力制御ループのために、第２のノイズ・パディング・スキームが適用される、請求項２１に記載の方法。
【請求項２３】
前記第１のノイズ・パディング・スキームは、ゼロ・ノイズ・パディングを利用する、請求項２２に記載の方法。
【請求項２４】
前記第２の送信電力レベルを調節するための情報は、前記第１の送信電力レベルを調節するための情報を適用したオープン・ループ・オフセットに基づいて導出される、請求項１８に記載の方法。
【請求項２５】
無線通信ネットワークにおいて干渉を緩和するための装置であって、
電力制御情報を取得することと、
前記電力制御情報に基づいて、異なるタイプのサブフレーム中に送られる送信の送信電力を調節することと、ここで、サブフレームのタイプは、第１のセルにおける送信が、第２のセルにおける送信を制限することによって保護される、少なくとも第１のタイプを備える、
を備える装置。
【請求項２６】
前記無線通信ネットワークは、ヘテロジニアスなネットワークを備え、
前記第１のセルと前記第２のセルとは、異なる電力クラスのタイプからなる、
請求項２５に記載の装置。
【請求項２７】
前記送信電力を調節するための手段は、前記第１のタイプのサブフレームで送られる送信のために、第２のタイプのサブフレームで使用される第２の送信電力レベルよりも低い、第１の送信電力レベルを利用する、請求項２５に記載の装置。
【請求項２８】
前記電力制御情報は、
前記第１のタイプのサブフレームで送られる送信のための、第１の送信電力レベルを示すインジケーションと、
前記第１の送信電力レベルに基づいて、前記第２の送信電力レベルを決定するために使用可能なオフセットを示すインジケーションと
を備える、請求項２７に記載の装置。
【請求項２９】
前記電力制御情報は、１または複数の送信電力制御（ＴＰＣ）コマンドで受信される情報を備える、請求項２５に記載の装置。
【請求項３０】
前記電力制御情報は、
前記第１のタイプのサブフレームで送られる送信のための、第１の送信電力レベルを調節するための情報と、
前記第２のタイプのサブフレームで送られる送信のための、第２の送信電力レベルを調節するための情報と
を備える、請求項２５に記載の装置。
【請求項３１】
前記第１の送信電力レベルを調節するための情報は、少なくとも第１の電力制御ループに基づいて導出される、請求項３０に記載の装置。
【請求項３２】
前記第１の電力制御ループは、ノイズ・パディング・スキームに部分的に基づいて導出される、請求項３１に記載の装置。
【請求項３３】
前記第２の送信電力レベルを調節するための情報は、少なくとも第２の電力制御ループに基づいて導出される、請求項３１に記載の装置。
【請求項３４】
前記第１の電力制御ループは、第１のノイズ・パディング・スキームに部分的に基づいて導出され、
前記第２の電力制御ループは、第２のノイズ・パディング・スキームに部分的に基づいて導出される、
請求項３３に記載の装置。
【請求項３５】
前記第１のノイズ・パディング・スキームは、ゼロ・ノイズ・パディングを利用する、請求項３４に記載の装置。
【請求項３６】
前記第２の送信電力レベルを調節するための情報は、前記第１の送信電力レベルを調節するための情報を適用したオープン・ループ・オフセットに基づいて導出される、請求項３０に記載の装置。
【請求項３７】
無線通信ネットワークにおいて干渉を緩和するための装置であって、
電力制御情報を決定する手段と、
前記電力制御情報に基づいて、異なるタイプのサブフレーム中に送られる送信の送信電力を調節する際に使用するために、前記電力制御情報をユーザ機器（ＵＥ）に送信する手段と、ここで、サブフレームのタイプは、第１のセルにおける送信が、第２のセルにおける送信を制限することによって保護される、少なくとも第１のタイプを備える、
を備える装置
【請求項３８】
前記無線通信ネットワークは、ヘテロジニアスなネットワークを備え、
前記第１のセルと前記第２のセルとは、異なる電力クラスのタイプからなる、
請求項３７に記載の装置。
【請求項３９】
前記ＵＥは、前記第１のタイプのサブフレームで送られる送信のために、第２のタイプのサブフレームで使用される第２の送信電力レベルよりも低い、第１の送信電力レベルを利用することによって前記送信電力を調節する、請求項３７に記載の装置。
【請求項４０】
前記ＵＥへ送信される電力制御情報は、
前記第１のタイプのサブフレームで送られる送信のための、第１の送信電力レベルを示すインジケーションと、
前記第１の送信電力レベルに基づいて、前記第２の送信電力レベルを決定するために使用可能なオフセットを示すインジケーションと
を備える、請求項３９に記載の装置。
【請求項４１】
前記電力制御情報は、１または複数の送信電力制御（ＴＰＣ）コマンドで受信される情報を備える、請求項３７に記載の装置。
【請求項４２】
前記ＵＥへ送信される電力制御情報は、
前記第１のタイプのサブフレームで送られる送信のための、第１の送信電力レベルを調節するための情報と、
前記第２のタイプのサブフレームで送られる送信のための、第２の送信電力レベルを調節するための情報と
を備える、請求項３７に記載の装置。
【請求項４３】
前記第１の送信電力レベルを調節するための情報は、少なくとも第１の電力制御ループに基づいて導出される、請求項４２に記載の装置。
【請求項４４】
前記第１の電力制御ループのために、ノイズ・パディング・スキームが適用される、請求項４３に記載の装置。
【請求項４５】
前記第２の送信電力レベルを調節するための情報は、少なくとも第２の電力制御ループに基づいて導出される、請求項４３に記載の装置。
【請求項４６】
前記第１の電力制御ループのために、第１のノイズ・パディング・スキームが適用され、
前記第２の電力制御ループのために、第２のノイズ・パディング・スキームが適用される、
請求項４５に記載の装置。
【請求項４７】
前記第１のノイズ・パディング・スキームは、ゼロ・ノイズ・パディングを利用する、請求項４６に記載の装置。
【請求項４８】
前記第２の送信電力レベルを調節するための情報は、前記第１の送信電力レベルを調節するための情報を適用したオープン・ループ・オフセットに基づいて導出される、請求項４２に記載の装置。
【請求項４９】
無線通信ネットワークにおいて干渉を緩和するための装置であって、
電力制御情報を取得し、
前記電力制御情報に基づいて、異なるタイプのサブフレーム中に送られる送信の送信電力を調節し、ここで、サブフレームのタイプは、第１のセルにおける送信が、第２のセルにおける送信を制限することによって保護される、少なくとも第１のタイプを備える、
ように構成された少なくとも１つのプロセッサと、
前記少なくとも１つのプロセッサに接続されたメモリと、
を備える装置。
【請求項５０】
無線通信ネットワークにおいて干渉を緩和するための装置であって、
電力制御情報を決定し、
前記電力制御情報に基づいて、異なるタイプのサブフレーム中に送られる送信の送信電力を調節する際に使用するために、前記電力制御情報をユーザ機器（ＵＥ）に送信する、
ここで、サブフレームのタイプは、第１のセルにおける送信が、第２のセルにおける送信を制限することによって保護される、少なくとも第１のタイプを備える、
ように構成された少なくとも１つのプロセッサと、
前記少なくとも１つのプロセッサに接続されたメモリと、
を備える装置。
【請求項５１】
無線通信ネットワークにおける干渉を緩和するための、格納された命令群を有するコンピュータ読取可能な媒体を備えるコンピュータ・プログラム製品であって、
前記命令群は、
電力制御情報を取得することと、
前記電力制御情報に基づいて、異なるタイプのサブフレーム中に送られる送信の送信電力を調節することと、ここで、サブフレームのタイプは、第１のセルにおける送信が、第２のセルにおける送信を制限することによって保護される、少なくとも第１のタイプを備える、
のために１または複数のプロセッサによって実行可能である、コンピュータ・プログラム製品。
【請求項５２】
無線通信ネットワークにおける干渉を緩和するための、格納された命令群を有するコンピュータ読取可能な媒体を備えるコンピュータ・プログラム製品であって、
前記命令群は、
電力制御情報を決定することと、
前記電力制御情報に基づいて、異なるタイプのサブフレーム中に送られる送信の送信電力を調節する際に使用するために、前記電力制御情報をユーザ機器（ＵＥ）に送信することと、ここで、サブフレームのタイプは、第１のセルにおける送信が、第２のセルにおける送信を制限することによって保護される、少なくとも第１のタイプを備える、
のために１または複数のプロセッサによって実行可能である、コンピュータ・プログラム製品
【発明の詳細な説明】
【関連出願に対する相互参照】
【０００１】
本願は、全体が本明細書において参照によって明確に組み込まれている２０１０年３月２５日出願の「干渉管理のためにサブフレーム依存のノイズ・パディングを容易にするシステム、装置、および方法」（SYSTEMS, APPARATUS AND METHODS TO FACILITATE SUBFRAME DEPENDENT NOISE PADDING FOR INTERFERENCE MANAGEMENT）と題された米国仮出願６１／３１７，６４８号に対する優先権を主張する。
【技術分野】
【０００２】
本開示は、一般に、通信に関し、さらに詳しくは、送信電力を制御することによって干渉を管理するための技術に関する。
【背景技術】
【０００３】
無線通信ネットワークは、例えば音声、ビデオ、パケット・データ、メッセージング、ブロードキャスト等のようなさまざまな通信コンテンツを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクで１または複数のＵＥへデータを送信し、アップリンクで１または複数のＵＥからデータを受信する。ダウンリンクにおいては、基地局からのデータ送信が、近隣の基地局からのデータ送信による干渉を観察しうる。アップリンクにおいては、ＵＥからのデータ送信が、近隣の基地局と通信する他のＵＥからのデータ送信による干渉を観察しうる。ダウンリンクとアップリンクとの両方について、干渉元の基地局および干渉元のＵＥによる干渉が、パフォーマンスを低下させうる。
【発明の概要】
【０００６】
ある態様によれば、無線通信ネットワークにおいて干渉を緩和するための方法が提供される。この方法は一般に、電力制御情報を取得することと、電力制御情報に基づいて、異なるタイプのサブフレーム中に送られる送信の送信電力を調節することと、を含み、ここで、サブフレーム・タイプは、第１のセルにおける送信が、第２のセルにおける送信を制限することによって保護される、少なくとも第１のタイプを備える。
【０００７】
ある態様によれば、無線通信ネットワークにおいて干渉を緩和するための方法が提供される。この方法は一般に、電力制御情報を決定することと、電力制御情報に基づいて、異なるタイプのサブフレーム中に送られる送信の送信電力を調節する際に使用するために、電力制御情報をユーザ機器に送信することと、を含み、ここで、サブフレーム・タイプは、第１のセルにおける送信が、第２のセルにおける送信を制限することによって保護される、少なくとも第１のタイプを備える。
【０００８】
本開示のさまざまな態様および特徴が、以下にさらに詳細に記載される。
【図面の簡単な説明】
【０００９】
【図１】図１は、無線通信ネットワークを示す。
【図２】図２は、基地局およびＵＥのブロック図を示す。
【図３】図３は、周波数分割デュプレクス（ＦＤＤ）のためのフレーム構造を示す。
【図４】図４は、ダウンリンクのための２つの典型的なサブフレーム・フォーマットを示す。
【図５】図５は、アップリンクのための典型的なサブフレーム・フォーマットを示す。
【図６】図６は、時分割デュプレクス（ＴＤＤ）のためのフレーム構造を示す。
【図７】図７は、本開示のある態様にしたがう、基地局とＵＥとの機能構成要素の例を示す。
【図８】図８は、本開示のある態様にしたがって、ＵＥによって実行されうる動作の例を例示する。
【図９】図９は、本開示のある態様にしたがって、ＵＥによって実行されうる動作の例を例示する。
【図１０Ａ】図１０Ａは、本開示のある態様にしたがって、干渉を管理するため異なるサブフレーム・タイプのために個別の電力制御ループがどのようにして利用されるかを例示する。
【図１０Ｂ】図１０Ｂは、本開示のある態様にしたがって、干渉を管理するため異なるサブフレーム・タイプのために個別の電力制御ループがどのようにして利用されるかを例示する。
【発明を実施するための形態】
【００１０】
本明細書では、送信電力を制御することによって干渉を管理するための技術が記載される。ある態様によれば、異なるタイプのサブフレーム中に送られる送信の送信電力が、サブフレーム・タイプに応じて制御される。例として、サブフレーム・タイプは、第１のセルにおける送信が、第２のセルにおける送信を制限することによって保護される第１のタイプと、第１のセルにおける送信が、そのように保護されない第２のタイプとを含みうる。第１のタイプのサブフレームに与えられた保護によって、より低い送信電力が使用されるようになる一方、比較的高い送信電力は、第２のセルにおける送信による潜在的な干渉に打ち勝つために、第２のタイプのサブフレームのサブフレームにおいて使用されうる。
【００１１】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ）、時分割同期ＣＤＭＡ（ＴＤ−ＳＣＤＭＡ）、およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、周波数分割デュプレクス（ＦＤＤ）と時分割デュプレクス（ＴＤＤ）との両方において、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された組織からの文書に記載されている。ｃｄｍａ２０００およびＵＭＢは、「第３世代パートナシップ計画２」（３ＧＰＰ２）と命名された組織からの文書に記載されている。本明細書で記載された技術は、他の無線ネットワークおよびラジオ技術と同様に、前述された無線ネットワークおよびラジオ技術のために使用されうる。明確化のために、これら技術のある態様は、以下において、ＬＴＥに関して記載されており、ＬＴＥ用語が以下の説明の多くで使用される。
【００１２】
図１は、無線通信ネットワーク１００を示す。これは、ＬＴＥネットワークまたはその他いくつかの無線ネットワークでありうる。本明細書で示された干渉管理技術は、このようなシステムにおいて使用されうる。
【００１３】
無線ネットワーク１００は、多くのイボルブド・ノードＢ（ｅＮＢ）１１０およびその他のネットワーク・エンティティを含みうる。ｅＮＢは、ＵＥと通信するエンティティであり、基地局、ノードＢ、アクセス・ポイント等とも称されうる。おのおののｅＮＢは、特定の地理的エリアのために通信有効範囲を提供する。３ＧＰＰでは、用語「セル」は、この用語が使用される文脈に依存して、この有効通信範囲エリアにサービス提供しているｅＮＢおよび／またはｅＮＢサブシステムからなる有効通信範囲エリアを称しうる。
【００１４】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連を持つＵＥ（例えば、クローズド加入者グループ（ＣＳＧ）におけるＵＥ）による無制限のアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢ（ＨｅＮＢ）と称されうる。図１に示す例では、ｅＮＢ１１０ａは、マクロ・セル１０２ａのためのマクロｅＮＢであり、ｅＮＢ１１０ｂは、ピコ・セル１０２ｂのためのピコｅＮＢであり、ｅＮＢ１１０ｃは、フェムト・セル１０２ｃのためのフェムトｅＮＢでありうる。ｅＮＢは、１または複数（例えば３つ）のセルをサポートしうる。「ｅＮＢ」、「基地局」、および「セル」という用語は、本明細書において置換可能に使用されうる。
【００１５】
無線ネットワーク１００はさらに、リレーをも含みうる。リレーは、データの伝送を上流局（例えば、ｅＮＢまたはＵＥ）から受信し、データの伝送を下流局（例えば、ＵＥまたはｅＮＢ）へ送信するエンティティである。リレーまた、他のＵＥのための送信を中継するＵＥでもありうる。図１に示される例において、リレー１１０ｄは、ｅＮＢ１１０ａとＵＥ１２０ｄとの間の通信を容易にするために、バックホール・リンクを介してマクロｅＮＢ１１０ａと、アクセス・リンクを介してＵＥ１２０ｄと通信しうる。リレーはまた、リレーｅＮＢ、リレー局、リレー基地局等とも称されうる。
【００１６】
無線ネットワーク１００はまた、例えば、マクロｅＮＢ、ピコｅＮＢ、フェムトｅＮＢ、リレーｅＮＢ等のような異なるタイプのｅＮＢを含むヘテロジニアスなネットワークでありうる。これら異なるタイプのｅＮＢは、異なる送信電力レベル、異なる有効通信範囲サイズ、および、無線ネットワーク１００内の干渉に対する異なるインパクトを有しうる。例えば、マクロｅＮＢは、高い送信電力レベル（例えば、５乃至４０ワット）を有する一方、ピコｅＮＢ、フェムトｅＮＢ、およびリレーは、低い送信電力レベル（例えば、０．１乃至２ワット）を有しうる。
【００１７】
ネットワーク・コントローラ１３０は、ｅＮＢのセットに接続しており、これらｅＮＢに対して調整および制御を提供しうる。ネットワーク・コントローラ１３０は、単一のネットワーク・エンティティであるか、ネットワーク・エンティティの集合でありうる。ネットワーク・コントローラ１３０は、バックホールを介してｅＮＢと通信しうる。ｅＮＢはまた、例えば、ダイレクトに、または、無線または有線のバックホールを介して非ダイレクトに、互いに通信しうる。
【００１８】
無線ネットワーク１００の全体にわたって、多くのＵＥ１２０が分布しうる。そして、おのおののＵＥは、固定式または移動式でありうる。ＵＥは、移動局、端末、アクセス端末、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック等でありうる。ＵＥは、マクロｅＮＢ、ピコｅＮＢ、フェムトｅＮＢ、リレー等と通信することができうる。ＵＥはまた、別のＵＥとピア・トゥ・ピア（Ｐ２Ｐ）通信することができうる。図１に示された例では、ＵＥ１２０ｅ，１２０ｆが、無線ネットワーク１００内のｅＮＢと通信することなく、互いにダイレクトに通信しうる。Ｐ２Ｐ通信は、ＵＥ間のローカルな通信のために、無線ネットワーク１００における負荷を低減しうる。また、ＵＥ間のＰ２Ｐ通信によって、１つのＵＥは、他のＵＥのためのリレーとして動作できるようになるので、他のＵＥが、ｅＮＢに接続することが可能となる。
【００１９】
図１では、２つの矢印を持つ実線が、ダウンリンクおよび／またはアップリンクでＵＥにサービス提供するように指定されたｅＮＢであるサービス提供ｅＮＢと、ＵＥとの間の所望の送信を示す。２つの矢印を持つ破線は、ＵＥとｅＮＢとの間の干渉送信を示す。
【００２０】
ＵＥは、複数のｅＮＢの有効通信範囲内に位置しうる。これらのｅＮＢのうちの１つが、ＵＥにサービス提供するために選択されうる。サービス提供ｅＮＢは、例えば受信信号強度、受信信号品質、経路喪失等のようなさまざまな基準に基づいて選択されうる。受信信号品質は、信号対雑音および干渉比（ＳＩＮＲ：signal-to-noise-and-interference ratio）、または基準信号受信品質（ＲＳＲＱ：reference signal received quality）、またはその他のメトリックによって定量化されうる。
【００２１】
ＵＥは、１または複数の干渉元のｅＮＢからの高い干渉を観察しうる支配的な干渉シナリオで動作しうる。支配的な干渉シナリオは、制限された関連付けによって生じうる。例えば、図１では、ＵＥ１２０ｃが、フェムトｅＮＢ１１０ｃの近くにあり、ｅＮＢ１１０ｃに関し高い受信電力を有しうる。しかしながら、ＵＥ１２０ｃは、制限された関連付けによって、フェムトｅＮＢ１１０ｃへアクセスすることができず、低い受信電力のマクロｅＮＢ１１０ａに接続しうる。ＵＥ１２０ｃは、その後、ダウンリンクで、フェムトｅＮＢ１１０ｃからの高い干渉を観察し、アップリンクで、フェムトｅＮＢ１１０ｃへの高い干渉を引き起こしうる。
【００２２】
支配的な干渉シナリオはまた、範囲拡張によっても生じうる。これは、経路喪失が低く、かつ、ＵＥによって検出されたすべてのｅＮＢの中でも恐らくはＳＩＮＲが低いｅＮＢにＵＥが接続するシナリオである。例えば、図１では、ＵＥ１２０ｂは、マクロｅＮＢ１１０ａよりもピコｅＮＢ１１０ｂの近くに配置され、ピコｅＮＢ１１０ｂに関し低い経路喪失しか有さない。しかしながら、ＵＥ１２０ｂは、マクロｅＮＢ１１０ａと比較してピコｅＮＢ１１０ｂの送信電力レベルが低いことによって、ピコｅＮＢ１１０ｂについて、マクロｅＮＢ１１０ａよりも低い受信電力しか有さない。それにも関わらず、ＵＥ１２０ｂは、低い経路喪失によって、ピコｅＮＢ１１０ｂに接続することが望ましいことがありうる。この結果、ＵＥ１２０ｂにとって、所与のデータ・レートの場合、無線ネットワークへの干渉が低くなりうる。
【００２３】
支配的な干渉シナリオにおける通信をサポートするために、さまざまな干渉管理技術が使用されうる。これらの干渉管理技術は、（セル間干渉調整（ＩＣＩＣ）とも称されうる）準静的なリソース分割、動的なリソース割当、および干渉除去等を含みうる。準静的なリソース分割は、異なるセルへリソースを割り当てるために（例えば、バックホール・ネゴシエーションによって）実行されうる。これらリソースは、サブフレーム、サブ帯域、キャリア、リソース・ブロック、送信電力等を備えうる。おのおののセルは、他のセルまたはこれらのＵＥからの干渉がほとんど観察されないか、または、まったく観察されないリソースのセットを割り当てられうる。動的なリソース割当はまた、ダウンリンクおよび／またはアップリンクで強い干渉を観察しているＵＥのための通信をサポートするために必要とされるようなリソースを割り当てるために、（例えば、セルとＵＥとの間のオーバ・ザ・エア・メッセージを交換することによって）実行されうる。干渉除去はまた、干渉元のセルからの干渉を緩和するためにＵＥによって実行されうる。
【００２４】
無線ネットワーク１００は、ダウンリンクおよびアップリンクにおけるデータ送信のために、ハイブリッド自動再送信（ＨＡＲＱ）をサポートしうる。ＨＡＲＱの場合、パケットが受信機（例えば、ＵＥ）によって正確に復号されるか、または、その他の終了条件に到達するまで、送信機（例えば、ｅＮＢ）は、パケットの１または複数の伝送を送りうる。同期ＨＡＲＱの場合、パケットのすべての送信が、Ｑ番目毎のサブフレームを含む単一のＨＡＲＱインタレースのサブフレームで送信されうる。ここで、Ｑは、４，６，８，１０またはその他のいくつかの値に等しくなりうる。非同期ＨＡＲＱの場合、パケットの送信はそれぞれ、任意のサブフレームで送られうる。
【００２５】
無線ネットワーク１００は、同期動作または非同期動作をサポートしうる。
【００２６】
同期動作の場合、ｅＮＢは、同じようなフレーム・タイミングを有し、異なるｅＮＢからの送信は、時間的にほぼ揃えられうる。非同期動作の場合、ｅＮＢは、異なるフレーム・タイミングを有し、異なるｅＮＢからの送信は、時間的に揃えられない場合がある。
【００２７】
無線ネットワーク１００は、ＦＤＤまたはＴＤＤを利用しうる。ＦＤＤの場合、ダウンリンクとアップリンクは、個別の周波数チャネルを割り当てられ、ダウンリンク送信およびアップリンク送信は、２つの周波数チャネルで同時に送信されうる。ＴＤＤの場合、アップリンクとダウンリンクとが同じ周波数チャネルを共有し、ダウンリンク送信およびアップリンク送信が、異なる期間において、同じ周波数チャネルで送信されうる。
【００２８】
図２は、図１における基地局／ｅＮＢのうちの１つ、およびＵＥのうちの１つでありうる、基地局／ｅＮＢ１１０とＵＥ１２０との設計のブロック図を示す。図２に示されるさまざまな構成要素（例えば、プロセッサ）は、本明細書において記載された干渉管理技術を実行するために利用されうる。例示されるように、基地局１１０は、ＵＥ１２０に電力制御情報２０２を送信しうる。以下により詳細に記載されるであろうが、ＵＥ１２０は、電力制御情報２０２に基づいて、サブフレーム依存方式で、アップリンク送信の送信電力を調節しうる。
【００２９】
基地局１１０は、Ｔ個のアンテナ２３４ａ乃至２３４ｔを備え、ＵＥ１２０は、Ｒ個のアンテナ２５２ａ乃至２５２ｒを備えうる。ここで、一般に、Ｔ≧１およびＲ≧１である。
【００３０】
基地局１１０では、送信プロセッサ２２０が、データ・ソース２１２から１または複数のＵＥのためのデータを、コントローラ／プロセッサ２４０から制御情報を受信しうる。プロセッサ２２０は、データおよび制御情報を処理（例えば、符号化および変調）し、データ・シンボルおよび制御シンボルをそれぞれ取得する。プロセッサ２２０はさらに、同期信号、基準信号等のための基準シンボルを生成しうる。送信（ＴＸ）複数入力複数出力（ＭＩＭＯ）プロセッサ２３０は、適用可能であれば、データ・シンボル、制御シンボル、および／または、基準シンボルに空間処理（例えば、プリコーディング）を実行し、Ｔ個の出力シンボル・ストリームをＴ個の変調器（ＭＯＤ）２３２ａ乃至２３２ｔに提供しうる。おのおのの変調器２３２は、（例えば、ＯＦＤＭ等のために）それぞれの出力シンボル・ストリームを処理して、出力サンプル・ストリームを得る。おのおのの変調器２３２はさらに、出力サンプル・ストリームを処理（例えば、アナログ変換、増幅、フィルタ、およびアップコンバート）し、ダウンリンク信号を取得する。Ｔ個の変調器２３２ａ乃至２３２ｔからのダウンリンク信号は、Ｔ個のアンテナ２３４ａ乃至２３４ｔによってそれぞれ送信されうる。
【００３１】
ＵＥ１２０では、アンテナ２５２ａ乃至２５２ｒが、基地局１１０からダウンリンク信号を、別の基地局からダウンリンク信号を、および／または、他のＵＥからＰ２Ｐ信号を受信し、受信した信号を、復調器（ＤＥＭＯＤ）２５４ａ乃至２５４ｒへそれぞれ提供しうる。おのおのの復調器２５４は、受信されたそれぞれの信号を調整（例えば、フィルタ、増幅、ダウンコンバート、およびデジタル化）して、入力サンプルを取得しうる。おのおのの復調器２５４はさらに、（例えば、ＯＦＤＭ等のため）これら入力サンプルを処理して、受信されたシンボルを取得しうる。ＭＩＭＯ検出器２５６は、Ｒ個すべての復調器２５４ａ乃至２５４ｒから受信したシンボルを取得し、適用可能である場合、これら受信されたシンボルに対してＭＩＭＯ検出を実行し、検出されたシンボルを提供しうる。受信プロセッサ２５８は、検出されたシンボルを処理（例えば、復調および復号）し、ＵＥ１２０のために復号されたデータをデータ・シンク２６０に提供し、復号された制御情報をコントローラ／プロセッサ２８０へ提供しうる。
【００３２】
アップリンクでは、ＵＥ１２０において、送信プロセッサ２６４が、データ・ソース２６２からデータを、コントローラ／プロセッサ２８０から制御情報を受信し、これらを処理しうる。プロセッサ２６４は、データおよび制御情報を処理（例えば、符号化および変調）し、データ・シンボルおよび制御シンボルをそれぞれ取得する。プロセッサ２６４はさらに、１または複数の基準信号のための基準シンボル等を生成しうる。送信プロセッサ２６４からのシンボルは、適用可能であれば、ＴＸ  ＭＩＭＯプロセッサ２６６によってプリコードされ、さらに、（例えば、ＳＣ−ＦＤＭ、ＯＦＤＭ等のために）変調器２５４ａ乃至２５４ｒによって処理され、基地局１１０、他の基地局、および／または、他のＵＥへ送信されうる。基地局１１０では、ＵＥ１２０およびその他のＵＥからのアップリンク信号が、アンテナ２３４によって受信され、復調器２３２によって処理され、適用可能な場合にはＭＩＭＯ検出器２３６によって検出され、さらに、受信プロセッサ２３８によって処理されて、ＵＥ１２０およびその他のＵＥによって送信された復号されたデータおよび制御情報が取得される。プロセッサ２３８は、復号されたデータをデータ・シンク２３９へ提供し、復号された制御情報をコントローラ／プロセッサ２４０へ提供しうる。
【００３３】
コントローラ／プロセッサ２４０，２８０は、基地局１１０およびＵＥ１２０それぞれにおける動作を指示しうる。基地局１１０におけるプロセッサ２４０および／またはその他のプロセッサおよびモジュールは、本明細書に記載された技術のための処理の実行または指示を行いうる。ＵＥ１２０におけるプロセッサ２８０および／またはその他のプロセッサおよびモジュールは、本明細書で説明された技術のための処理の実行または指示を行いうる。メモリ２４２，２８２は、基地局１１０およびＵＥ１２０それぞれのためのデータおよびプログラム・コードを格納しうる。通信（Ｃｏｍｍ）ユニット２４４によって、基地局１１０は、他のネットワーク・エンティティ（例えば、ネットワーク・コントローラ１３０）と通信できるようになりうる。スケジューラ２４６は、ダウンリンクおよび／またはアップリンクでのデータ送信のためにＵＥをスケジュールしうる。
【００３４】
ある態様によれば、受信プロセッサ２３８および／またはコントローラ／プロセッサ２４０は、電力制御情報を決定し、ＵＥ１２０への送信のために、この情報を、送信プロセッサ２２０に提供しうる。一方、ＵＥ１２０の受信プロセッサ２５８および／またはコントローラ・プロセッサ２８０は、電力制御情報を抽出し、これを、サブフレーム依存方式で、アップリンク送信のための送信電力を制御する際に使用するために、送信プロセッサ２６４へ提供しうる。
【００３５】
図２は、図１におけるネットワーク・コントローラ１３０の設計をも示す。ネットワーク・コントローラ１３０内では、コントローラ／プロセッサ２９０が、ＵＥのための通信をサポートするさまざまな機能を実行しうる。コントローラ／プロセッサ２９０は、本明細書に記載された技術のための処理を実行しうる。メモリ２９２は、ネットワーク・コントローラ１３０のためのデータおよびプログラム・コードを格納しうる。通信ユニット２９４によって、ネットワーク・コントローラ１３０は、他のネットワーク・エンティティと通信できるようになりうる。
【００３６】
前述したように、ＢＳ１１０およびＵＥ１２０は、ＦＤＤまたはＴＤＤを利用しうる。ＦＤＤの場合、ダウンリンクとアップリンクは、個別の周波数チャネルを割り当てられ、ダウンリンク送信およびアップリンク送信は、２つの周波数チャネルで同時に送信されうる。
【００３７】
図３は、ＬＴＥにおけるＦＤＤのための典型的なフレーム構造３００を示す。ダウンリンクおよびアップリンクのおのおののための送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは２つのスロットを含みうる。したがって、おのおののラジオ・フレームは、０乃至１９のインデクスを付された２０のスロットを含みうる。おのおののスロットは、例えば、（図３に示すように）通常のサイクリック・プレフィクスの場合、７つのシンボル期間、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。
【００３８】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、周波数範囲を、一般にトーン、ビン等とも称される複数（ＮＦＦＴ）個の直交サブキャリアに分割する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（ＮＦＦＴ）は、システム帯域幅に依存しうる。例えば、ＮＦＦＴは、１．２５，２．５，５，１０，２０メガヘルツ（ＭＨｚ）のシステム帯域幅についてそれぞれ１２８，２５６，５１２，１０２４，２０４８にそれぞれ等しくなりうる。システム帯域幅はまた、多くのサブ帯域に分割されうる。そして、各々のサブ帯域は、例えば１．０８ＭＨｚのような周波数の範囲をカバーしうる。
【００３９】
ダウンリンクおよびアップリンクのおのおのために利用可能な時間周波数リソースは、リソース・ブロックに分割されうる。おのおののリソース・ブロックは、１つのスロット内に１２のサブキャリアをカバーし、多くのリソース要素を含みうる。おのおののリソース要素は、１つのシンボル期間において１つのサブキャリアをカバーし、実数値または複素数値である１つの変調シンボルを送信するために使用されうる。
【００４０】
ＬＴＥでは、ｅＮＢは、サブフレームの制御領域で、物理制御フォーマット・インジケータ・チャネル（ＰＣＦＩＣＨ）、物理ＨＡＲＱインジケータ・チャネル（ＰＨＩＣＨ）、および物理ダウンリンク制御チャネル（ＰＤＣＣＨ）を送信しうる。ＰＣＦＩＣＨは、制御領域のサイズを伝送しうる。ＰＨＩＣＨは、ＨＡＲＱを用いてアップリンクで送信されるデータ送信のためのアクノレッジメント（ＡＣＫ）およびネガティブ・アクノレッジメント（ＮＡＣＫ）のフィードバックを伝送しうる。ＰＤＣＣＨはダウンリンク許可、アップリンク許可、および／または、その他の制御情報を伝送しうる。ｅＮＢはまた、（図３に示されていない）サブフレームのデータ領域で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００４１】
ＬＴＥでは、ｅＮＢはまた、ｅＮＢによってサポートされるおのおののセルのためのシステム帯域幅の中央１．０８ＭＨｚで、ダウンリンクで一次同期信号（ＰＳＳ）および二次同期信号（ＳＳＳ）を送信しうる。図３に示すように、ＰＳＳおよびＳＳＳは、通常のサイクリック・プレフィクスを持つ各ラジオ・フレームのサブフレーム０およびサブフレーム５において、シンボル期間６およびシンボル期間５でそれぞれ送信されうる。ＰＳＳおよびＳＳＳは、ＵＥによって、セル探索および獲得のために使用されうる。ｅＮＢは、ｅＮＢによってサポートされているおのおののセルについて、システム帯域幅で、セル特有基準信号（ＣＲＳ）を送信しうる。ＣＲＳは、おのおののサブフレームのあるシンボル期間で送信されうる。そして、チャネル推定、チャネル品質測定、および／または、その他の機能を実行するために、ＵＥによって使用されうる。ｅＮＢはまた、あるラジオ・フレームのスロット１におけるシンボル期間０乃至３で、物理ブロードキャスト・チャネル（ＰＢＣＨ）を送信しうる。ＰＢＣＨは、いくつかのシステム情報を伝送しうる。ｅＮＢは、例えばシステム情報ブロック（ＳＩＢ）のようなその他のシステム情報を、あるサブフレームで、ＰＤＳＣＨで送信しうる。
【００４２】
図４は、ＬＴＥにおいて、通常のサイクリック・プレフィクスを用いたダウンリンクのための典型的なサブフレーム・フォーマット４１０，４２０を示す。ダウンリンクのためのサブフレームは、時分割多重されたデータ領域が後に続く制御領域を含みうる。制御領域は、サブフレームのうちの最初のＭ個のシンボル期間を含みうる。ここで、Ｍは、１，２，３または４に等しくなりうる。Ｍは、サブフレーム毎に変化し、サブフレームの最初のシンボル期間においてＰＣＦＩＣＨによって伝送されうる。制御領域は、制御情報を伝送しうる。データ領域は、サブフレームのうちの残りの（２Ｌ−Ｍ）個のシンボル期間を含み、ＵＥのためのデータおよび／またはその他の情報を伝送しうる。
【００４３】
サブフレーム・フォーマット４１０は、２つのアンテナを装備したｅＮＢのために使用されうる。ＣＲＳは、シンボル期間０，４，７，１１において、アンテナ０，１から送信されうる。基準信号は、送信機および受信機に演繹的に知られている信号であり、パイロットと称されうる。ＣＲＳは、例えば、セル識別情報（ＩＤ）に基づいて生成された、セルに特有の基準信号である。図４では、ラベルＲａを付された所与のリソース要素について、アンテナａから、このリソース要素で変調シンボルが送信され、他のアンテナからは、このリソース要素で、変調シンボルは送信されない。サブフレーム・フォーマット４２０は、４つのアンテナを装備したｅＮＢのために使用されうる。ＣＲＳは、シンボル期間０，４，７，１１において、アンテナ０，１から送信され、シンボル期間１，８において、アンテナ２，３から送信されうる。サブフレーム・フォーマット４１０，４２０の両方について、セルＩＤに基づいて決定されうる、等間隔で配置されたサブキャリアでＣＲＳが送信されうる。異なるｅＮＢは、これらセルのセルＩＤに依存して、同じサブキャリアまたは異なるサブキャリアで、これらセルのためのＣＲＳを送信しうる。サブフレーム・フォーマット４１０，４２０の両方について、ＣＲＳのために使用されていないリソース要素は、データまたは制御情報を送信するために使用されうる。
【００４４】
図５は、ＬＴＥにおけるアップリンクのための典型的なサブフレーム・フォーマット４００を示す。アップリンク用のサブフレームは、周波数分割多重されうる制御領域およびデータ領域を含みうる。制御領域は、システム帯域幅の２つの端部において形成され、設定可能なサイズを有しうる。データ領域は、制御領域に含まれていないすべてのリソース・ブロックを含みうる。
【００４５】
ＵＥは、ｅＮＢへ制御情報を送信するために、制御領域においてリソース・ブロックを割り当てられうる。ＵＥはまた、ｅＮＢへデータを送信するために、データ領域においてリソース・ブロックを割り当てられうる。ＵＥは、制御領域において割り当てられたリソース・ブロック５１０ａ，５１０ｂで、物理アップリンク制御チャネル（ＰＵＣＣＨ）で制御情報を送信しうる。ＵＥは、データ領域において割り当てられたリソース・ブロック５２０ａ，５２０ｂで、物理アップリンク共有チャネル（ＰＵＳＣＨ）で、データのみ、または、データと制御情報との両方を送信しうる。図５に示すように、アップリンク送信は、サブフレームの両スロットに及び、周波数を越えてホップしうる。
【００４６】
図６は、ＬＴＥにおけるＴＤＤのための典型的なフレーム構造６００を示す。ＬＴＥは、ＴＤＤのために、多くのダウンリンク−アップリンク構成をサポートする。すべてのダウンリンク−アップリンク構成について、サブフレーム０，５がダウンリンク（ＤＬ）のために使用され、サブフレーム２がアップリンク（ＵＬ）のために使用される。サブフレーム３，４，７，８，９は各々、ダウンリンク−アップリンク構成に依存して、ダウンリンクまたはアップリンクのために使用されうる。サブフレーム１は、（ｉ）ダウンリンク制御チャネルのみならずデータ送信のために使用されるダウンリンク・パイロット時間スロット（ＤｗＰＴＳ）と、（ｉｉ）無送信のガード期間（ＧＰ）と、（ｉｉｉ）ランダム・アクセス・チャネル（ＲＡＣＨ）またはサウンディング基準信号（ＳＲＳ）の何れかのために使用されるアップリンク・パイロット時間スロット（ＵｐＰＴＳ）とからなる３つの特別なフィールドを含む。サブフレーム６は、ダウンリンク−アップリンク構成に依存して、ＤｗＰＴＳのみを含むか、または、３つの特別なフィールドすべてを含むか、または、ダウンリンク・サブフレームを含みうる。ＤｗＰＴＳ、ＧＰ、およびＵｐＰＴＳは、異なるサブフレーム構成について、異なる持続時間を有しうる。
【００４７】
ダウンリンクにおいては、ｅＮＢが、（図６に図示されていないが）サブフレーム１，６のシンボル期間２でＰＳＳを送信し、サブフレーム０，５の最後のシンボル期間でＳＳＳを送信しうる。ｅＮＢは、おのおののダウンリンク・サブフレームのあるシンボル期間で、ＣＲＳを送信しうる。ｅＮＢはまた、あるラジオ・フレームのサブフレーム０で、ＰＢＣＨをも送信しうる。
【００４８】
ＬＴＥにおけるさまざまなフレーム構造、サブフレーム・フォーマット、物理チャネル、および信号は、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００４９】
当業者であれば、本明細書で示された干渉管理技術は、ハードウェア構成要素および／またはソフトウェア構成要素の任意の適切な組み合わせを用いて実現されうることを認識するであろう。ある態様によれば、このような技術のさまざまな動作は、１または複数の「ソフトウェア設定可能な」プログラマブル・プロセッサを用いて実現されうる。
【００５０】
（サブフレーム依存の送信電力制御）  
本開示のある態様は、異なるタイプのサブフレームにおけるアップリンク送信のために使用されるべき異なる送信電力レベルを可能にすることによって、干渉管理を提供する。以下により詳しく記載されるように、１または複数の送信電力制御ループ（例えば、１または複数のオフセットを備えた独立ループまたは単一ループ）を利用することによって、サブフレーム・タイプ依存の送信電力制御が達成されうる。
【００５１】
図７は、本明細書に記載された干渉管理技術が利用されうる通信システム７００の例を例示する。例示されるように、無線通信システム７００は、ＢＳ７０２，７２２と、ＢＳ７０２，７２２によってサービス提供されるＵＥ７０４，７２４とをそれぞれ含みうる。ＢＳ７０２，７２２は、互いに潜在的に干渉する異なるセル内に配置されうる。ある態様によれば、通信システム７００は、ヘテロジニアスなネットワークでありうる。そして、ＢＳ７０２，７２２は、マクロＢＳ、フェムトＢＳ、ピコＢＳ等の組み合わせでありうる。ある態様によれば、無線通信システム７００は、ＬＴＥシステムまたはＬＴＥ−Ａシステムでありうる。
【００５２】
ＢＳ７０２，７２２は、データおよび／または制御情報、および／または、システム、方法、装置、および／または、コンピュータ・プログラム製品のうちの何れかを参照して記載されているその他任意のタイプの情報を、ＵＥ７０４，７２４へ送信、およびＵＥ７０４，７２４から受信、するように構成されたトランシーバ７０６，７１６を含みうる。例えば、トランシーバ７０６，７１６は、情報チャネル、データ・チャネル、および制御チャネルを分割する時間リソースおよび／または周波数リソースを送信および／または受信するように構成されうる。
【００５３】
ＢＳ７０２，７２２はまた、さまざまなプロセッサ７０８，７２８およびメモリ７１０，７３０を含みうる。プロセッサ７０８，７２８は、本明細書に記載された干渉管理機能のうちの１または複数を実行するように構成されうる。ＢＳ７０２，７２２はおのおの、本明細書に記載されたさまざまな動作を実行するための、例えば、プロセッサ７０８，７２８によって実行可能な命令群を格納するメモリ７１０，７３０を含みうる。
【００５４】
ＢＳ７０２，７２２はさらに、干渉管理のためにリソースを割り当てるように構成されたＢＳリソース割当モジュール７１２，７３２を含みうる。割り当てられたリソースは、限定される訳ではないが、時間および／または周波数の送信リソースを含みうる。例えば、リソース割当モジュール７１２，７３２は、情報を、異なる電力クラスのＢＳ間で分割するリソースを送信、生成、および／または、処理するように構成されうる。ある態様によれば、リソース割当モジュール７１２，７３２は、本明細書に記載されたような干渉管理のための電力制御情報を生成するように構成されうる。
【００５５】
無線通信システム７００はまた、ＢＳ７０２，７２２によってそれぞれサービス提供され、かつ、ＢＳ７０２，７２２によって管理される対応するセルに配置されたＵＥ７０４，７２４をも含みうる。
【００５６】
ＵＥ７０４，７２４は、データおよび／または制御情報、および／または、本明細書に記載されたその他任意のタイプの情報を、ＢＳ７０２，７２２へ送信、およびＢＳ７０２，７２２から受信、するように構成されたトランシーバ７１４，７３４を含みうる。例えば、トランシーバ７１４，７３４は、異なるタイプのサブフレームにおいて、アップリンク送信の送信電力を変化させるために、情報および電力制御情報を分割する時間リソースおよび／または周波数リソースを送信および／または受信するように構成されうる。ある態様によれば、トランシーバ７１４，７３４は、限定される訳ではないが、使用可能な、使用不能な、およびフレキシブルに使用可能なサブフレームを含む異なるタイプのサブフレームにおいて送信するように構成されうる。トランシーバ７１４，７３４は、データ・チャネルおよび制御チャネルを受信するように構成されうる。
【００５７】
ＵＥ７０４，７２４はまた、さまざまなプロセッサ７１６，７３６およびメモリ７１８，７３８を含みうる。プロセッサ７１６，７３６は、システム、方法、装置、および／または、コンピュータ・プログラム製品のうちの何れかを参照して本明細書に記載された機能のうちの１または複数を実行するように構成されうる。ＵＥ７０４，７２４はおのおの、本明細書に記載されたさまざまな動作を実行するための、例えば、プロセッサ７１６，７３６によって実行可能な命令群を格納するメモリ７１８，７３８を含みうる。
【００５８】
ＢＳ７０４，７２４はさらに、干渉管理のためのリソース割当情報を受信および処理するように構成されたＵＥリソース割当モジュール７２０，７４０を含みうる。例えば、ＵＥリソース割当モジュール７２０，７４０は、異なる電力クラスのＢＳ間で情報を分割するリソースを、受信および処理するように構成されうる。ある態様によれば、リソース割当モジュール７２０，７４０はまた、電力制御情報を受信し、これにしたがって、アップリンク送信の送信電力を、さまざまなタイプのサブフレームにおいて変化させるように構成されうる。
【００５９】
上記参照されたリソース割当モジュールは、ＤＬ干渉および／またはＵＬ干渉から制御送信および／またはデータ送信を保護するために、リソース分割を実行するように構成されうる。前述したように、リソース割当は、時間領域および／または周波数領域においてなされうる。例えば、ＵＬのための時間領域リソース分割の場合、３つのタイプのサブフレームが定義されうる。Ｕ、Ｎ、およびＸのサブフレームが定義されうる。Ｕサブフレームは、所与のセルについて使用可能であり、一般に、異なるクラスのセルからの干渉はない。Ｎサブフレームは、異なるクラスのセルに対する過度の干渉を回避するために、一般に、所与のセルによって使用可能ではない非使用可能なサブフレームを称する。Ｘサブフレームは、セルのためのＢＳ実装に基づいて、いくつかの場合において使用可能でありうる。
【００６０】
サブフレーム・タイプの管理を認識しているＵＥ７０４，７２４は、一般に、過度の干渉を回避するために、Ｎサブフレームにおける送信を回避しながら（少なくともベース・エフォート・ベースで）、最良の干渉防止のためにＵサブフレームで送信しうる（近隣セルにおけるこれらサブフレームにおける送信が制限される）。ＵＥ７０４，７２４は、所与のセルについてＢＳ７０２，７２２による決定によって示されるように、オプションとして、Ｘサブフレームを使用しうる。このアプローチをサブフレーム利用に適用して、（可能であれば過度の干渉を回避するために、）Ｕサブフレームは、ＵＥ７０４，７２４によって最も頻繁に使用されることが期待され、Ｘサブフレームは、オプションとして使用され（または、使用されず）、Ｎサブフレームは、最も使用されないことが期待される。
【００６１】
マクロＢＳによってサービス提供されているＵＥが、前述されたサブフレーム・タイプを認識しており、フェムトＢＳによって管理されるセルに地理的に近い場合、ＵＥは、（フェムト・セルに対する高い干渉を引き起こす可能性が高いので）マクロＮサブフレームで送信しないようにとの命令群を受信しうる。したがって、ＵＥへアクセス可能ではないフェムト・セルは、マクロＢＳによってサービス提供されているＵＥからの強い干渉を受けないだろう。したがって、フェムトＢＳによってサービス提供されるＵＥは、その後、ＵＬ送信のために、Ｕサブフレームで送信しうる。
【００６２】
マクロＢＳによってサービス提供されるＵＥが、前述したサブフレーム・タイプを認識していない場合、マクロＢＳはいまだにＵＬスケジューリングを実行しうる。これによって、マクロＢＳによってサービス提供されるＵＥは、例えば、少なくともベスト・エフォート・ベースで、Ｎサブフレームでスケジュールされないようになる。
【００６３】
前述したシナリオを適用すると、近隣セルにおけるＵサブフレームとＮサブフレームとの相補的な特性（例えば、１つのセルにおいてＵサブフレームであると考えられるサブフレームは、一般に、干渉元のセルにおけるＮサブフレームであると考えられる）を、セルにおけるＢＳによる適切なスケジューリングとともに考慮することにより、フェムトＢＳによってサービス提供されるＵＥは、フェムト・セルに地理的に近く、かつ、マクロＢＳによってサービス提供されているＵＥからの強いＵＬ干渉を受けることを回避することが可能となりうる。したがって、フェムトＢＳによってサービス提供されるＵＥは、Ｕサブフレームを送信しながらこの干渉を回避しうる。
【００６４】
しかしながら、（Ｕサブフレーム以外の）別のタイプのサブフレームが送信されている場合には、干渉を低減するための別の方法もまた望まれうる。ある態様によれば、ＢＳは、非Ｕサブフレームの間、ＵＥをスケジュールすることを回避しうる。しかしながら、このような制限は、フェムト・セルのＵＬパフォーマンスに悪影響を与えうる。なぜなら、フェムト・セルにおけるＵサブフレームの数が制限されうるからである。
【００６５】
本明細書に記載されたある態様によれば、干渉管理に役立つために、サブフレーム・タイプに依存する送信電力制御が利用されうる。何れの場合であれ、より保護されたサブフレームよりも、保護されていない、または、さほど保護されていないサブフレームにおいて、より高い送信電力レベルが利用されうる。言い換えれば、「Ｕ」サブフレームの保護によって、より低いアップリンク送信電力が利用されるようになりうる一方、（例えば、「Ｎ」サブフレームおよび「Ｘ」サブフレームのような）その他のサブフレーム・タイプでは、増加された送信電力が、いくつかの干渉レベルを補償することに役立ちうる。
【００６６】
このアプローチは、例えば、すべてのサブフレームにわたる潜在的なＵＬ送信を可能にするため、および、別のサブフレームにわたる干渉変化を取り扱うために、フェムト・セルのＵＥにおいて適用されうる。
【００６７】
ある態様によれば、１または複数の電力制御ループにおける送信電力においてなされた決定に、人工的にインパクトを与えるノイズ・パディングを利用することによって、送信電力制御が達成されうる。ノイズ・パディングが利用される場合、ＤＬおよびＵＬにおける送信を平準化するために、比較的高いレベル（例えば、２０ｄＢ）で、相対的なノイズ・パディングが設定されうる。ある態様によれば、ノイズ・パディングは、フェムト・セルのＵＬで働く干渉対熱（ＩｏＴ）レベルが、より高いレベルに高められるように設定されうる。フェムトＢＳによってサービス提供されるＵＥはその後、高い電力で送信することを強いられうる。全体的なＩｏＴ変動（すなわち、電力制御変動）は、オリジナルのケースよりもはるかに低いレベルに保たれうる。別の実施形態では、ノイズ・パディング・ループは、固定されたオフセットではなく、少なくとも、フェムト・セルにおけるＵＬ干渉レベルに基づいて変動しうる。
【００６８】
図８は、干渉管理を実行するために、例えば基地局（例えば、ｅＮＢ）によって実行されうる動作８００の例を例示する。動作８００は、電力制御情報を決定することによって、８０２において始まる。ＢＳは、８０４において、電力制御情報に基づいて、別のタイプのサブフレーム中に送られる送信の送信電力を調節する際に使用するために、ＵＥに、電力制御情報を送信する。ここで、サブフレーム・タイプは、第１のセルにおける送信が、第２のセルにおける送信を制限することによって保護される、少なくとも第１のタイプを備える。
【００６９】
図９は、干渉管理を実行するために、例えばＵＥによって実行されうる動作９００の例を例示する。動作９００は、（例えば、ＢＳから送信された）電力制御情報を取得することによって、９０２において始まる。ＵＥは、９０４において、電力制御情報に基づいて、異なるタイプのサブフレーム中に送られる送信の送信電力を調節する。ここで、サブフレーム・タイプは、第１のセルにおける送信が、第２のセルにおける送信を制限することによって保護される、少なくとも第１のタイプを備える。
【００７０】
電力制御情報は、異なるサブフレーム・タイプについて送信電力を変化させるように設計されうる。本明細書に記載されるように、電力制御情報は、例えば、個別のサブフレーム・タイプに依存する送信電力制御（ＴＰＣ）コマンド、または、異なるサブフレーム・タイプにおけるＵＬ送信の送信電力を調節する（例えば、高める）ために、１または複数のオフセットを用いて保護されたサブフレーム（例えばＵサブフレーム）のための単一の送信電力制御設定、のようなさまざまな形態をとりうる。
【００７１】
特定の実施に依存して、干渉を管理するためのサブフレーム・タイプ依存の送信電力制御に作用するために、単一または複数の電力制御ループが保持されうる。例えば、ある態様によれば、２以上の送信電力制御ループが保持されうる。ここで、おのおののループは、同じまたは類似のＵＬ干渉特性を有するサブフレームを考慮する。
【００７２】
例えば、図１０Ａに例示されるように、２つの送信電力制御ループが保持されうる。ここで、１つは「Ｕ」サブフレーム用であり、他は他のサブフレーム・タイプ用である。一般に、「Ｕ」サブフレームは、極めて低いＵＬ干渉しか受けないことが期待されているので、保護された（例えば、「Ｕ」）サブフレームのために必要とされるＵＬ送信電力は、その他のサブフレーム・タイプのために必要とされるＵＬ送信電力よりも少なくなるであろうことが期待される。
【００７３】
例えば、マクロＵＥから、または、その他のフェムト・セルのＵＥからの「Ｕ」サブフレームにおいて顕著なＵＬ干渉がない場合、（例えば、ノイズ・パディングによる）電力制御は、「Ｕ」サブフレーム・タイプについて省略されうる。これを行うことによって、単一送信電力制御ループを利用することが可能となりうる。例えば、図１０Ｂに例示されるように、送信電力制御を調節するために、（すべてのサブフレームに対してではなく）いくつかのサブフレームに対してのみ選択的に調節が適用される単一送信電力制御ループが使用されうる。
【００７４】
例えば図１０Ａおよび図１０Ｂに示されるような実施形態の場合、Ｕサブフレームおよび非Ｕサブフレームの電力制御は、サブフレーム依存方式においても変化しうる。
【００７５】
ある態様によれば、各電力制御ループについて、異なるサブフレーム・タイプのために、１または複数のサブフレーム依存のオープン・ループ・オフセットが保持されうる。これらのオフセットは、準静的に設定されうるか、または、動的に示されうる（例えば、ブロードキャストまたはユニキャストされる）。ある態様によれば、オフセットは、異なるサブフレームのためのノイズ・パディングの差をもって揃えられうる。
【００７６】
ＵＥ送信電力を最小化するために、フェムトＢＳが、サブフレームにおいて、低い（または全く無い）送信電力調節値でサービス提供するＵＥをスケジュールしうる。したがって、ＵＥは、Ｕサブフレームを最初に使用するように優先付けられうる。ここでは、送信電力調節値（または、ノイズ・パディング）はゼロまたは最小であり、これは、ＵＥのバッテリ寿命の改善に役立ちうる。フェムトＢＳはまた、必要な場合には、例えば、ＵＬパフォーマンスを高めるために（しかしながら、電力が調節された非Ｕサブフレームによって観察される干渉量と、対応する送信電力の増加とに依存して、バッテリ寿命を犠牲にして）、電力が調節された非ＵサブフレームにおけるＵＬ送信をスケジュールしうる。
【００７７】
本明細書に記載されたシナリオおよび実施形態は、限定される訳ではないが、フェムト・トゥ・フェムト・ネットワーク、マクロ・トゥ・ピコ・ネットワーク、および／または、干渉を受けているＢＳが本明細書に記載された機能の何れかを実施しうるその他任意のタイプのＨｅｔＮｅｔを含む任意のＨｅｔＮｅｔに適用されうる。
【００７８】
本明細書に記載された技術は、ハードウェア構成要素および／またはソフトウェア構成要素との任意の適切な組み合わせを含みうる任意の適切な手段を用いて実施されうる。１つの態様では、前述した手段は、前述された機能を実行するように構成された、例えば前述した図面に記載されたようなプロセッサ（単数または複数）でありうる。別の態様では、前述した手段は、前述した手段によって記述された機能を実行するように構成されたモジュールまたは任意の装置でありうる。
【００７９】
用語「モジュール」、「構成要素」等は、ハードウェア、ファームウェア、ハードウェアとソフトウェアの組み合わせ、ソフトウェア、あるいは実行中のソフトウェアのうちの何れかのようなコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、格納されたさまざまなデータ構造を有するさまざまなコンピュータ読取可能な媒体から実行しうる。構成要素は、例えば、１または複数のデータ・パケット（例えば、シグナルによって、ローカル・システム内の別の構成要素とインタラクトする１つの構成要素からのデータ、配信システムからのデータ、および／または、他のシステムを備えたインターネットのようなネットワークを介したデータ）を有する信号にしたがってローカル処理および／または遠隔処理によって通信しうる。
【００８０】
当業者であれば、情報および信号は、さまざまな異なる技術および技法のうちの何れかを用いて表されうることを理解するだろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００８１】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとして、ソフトウェアとして、あるいはこれら両方の組み合わせとして実現されるかは、特定のアプリケーションおよびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００８２】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８３】
本明細書の開示に関連して説明された方法またはアルゴリズムのステップは、ハードウェアで直接に、プロセッサによって実行されるソフトウェア・モジュールで、またはこの２つの組合せで実現されうる。ソフトウェア・モジュールは、ランダム・アクセス・メモリ（ＲＡＭ）、読取専用メモリ（ＲＯＭ）、プログラマブルＲＯＭ（ＰＲＯＭ）、電子的プログラマブルＲＯＭ（ＥＰＲＯＭ）、電子的消去可能プログラマブルＲＯＭ（ＥＥＰＲＯＭ）、レジスタ、ハード・ディスク、リムーバブル・ディスク、ＣＤ−ＲＯＭ、または当該技術において周知であるその他任意の形式の記憶媒体に存在しうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８４】
１または複数の典型的な設計では、記載された機能は、ハードウェア、ソフトウェア、ファームウェア、あるいはこれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００８５】
本明細書に記載されるように、項目のリストのうちの「少なくとも１つ」と称する文言は、単数を含むこれら項目のうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００８６】
本開示の前述した記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013524572.tif 000003
【図２】
2013524572.tif 000004
【図３】
2013524572.tif 000005
【図４】
2013524572.tif 000006
【図５】
2013524572.tif 000007
【図６】
2013524572.tif 000008
【図７】
2013524572.tif 000009
【図８】
2013524572.tif 000010
【図９】
2013524572.tif 000011
【図１０Ａ】
2013524572.tif 000012
【図１０Ｂ】
2013524572.tif 000013
【国際調査報告】
2013524572.tif 000014
2013524572.tif 000015
2013524572.tif 000016